(57)【要約】【課題】  電気設備への電源供給を確実に行うことのできる間仕切り壁パネルを提供すること。【解決手段】  補強用の下地材９が枠体５の内部に配設され、下地材は、縦片９１と縦片に垂設された垂片９２とを備えた断面略Ｔ字型の形状を有する部材であり、下地材は、縦片を一方の面材７に当接させるとともに、垂片をもう一方の面材８に当接させて配置され、下地材において垂片は縦片に連続的にまたは断続的に設けられ、連続的に設けられた垂片には横枠方向に貫通する開口１１が形成されている。【選択図】図１
2006299612.tif 000002
【特許請求の範囲】
【請求項１】
一対の縦枠および横枠により組み立てられた矩形の枠体の内部に縦桟が設けられ、一方の横枠に縦枠方向に貫通する配線用開口穴が設けられ、枠体の前後に面材が配設された間仕切り壁パネルにおいて、補強用の下地材が枠体の内部に配設され、下地材は、縦片と縦片に垂設された垂片とを備えた断面略Ｔ字型の形状を有する部材であるか、または縦片と、縦片に垂設された垂片と、垂片を介して縦片に対して平行に配設され、縦片より幅の短い第２の縦片とを備えた断面略Ｈ字型の形状を有する部材であり、下地材は、縦片を一方の面材に当接させるとともに、断面略Ｔ字型形状の下地材の場合は垂片をもう一方の面材に当接させ、断面Ｈ字型形状の下地材の場合は第２の縦片をもう一方の面材に当接させて配置され、下地材において垂片は縦片に連続的にまたは断続的に設けられ、連続的に設けられた垂片には横枠方向に貫通する開口が形成されていることを特徴とする間仕切り壁パネル。
【請求項２】
間仕切り壁パネルが建て込まれたときの上端部に相当する部分において、断面Ｔ字型の形状を有する下地材では垂片が欠如し、断面Ｈ字型の形状を有する下地材では垂片とともに第２の縦片が欠如し、欠如部が形成されている請求項１記載の間仕切り壁パネル。
【発明の詳細な説明】
【技術分野】
【０００１】
本願発明は、内装用の間仕切り壁パネルに関する。
【背景技術】
【０００２】
内装用の間仕切り壁パネルは、一対の縦枠および横枠により組み立てられた矩形の枠体の内部に縦桟が設けられ、枠体の前後に石膏ボード等の面材が配設されて形成されている（たとえば、特許文献１参照）。
【０００３】
このような間仕切り壁パネルに、電気コンセント、スイッチなどの電気設備を設ける場合、一般に、間仕切り壁パネルを補強するために下地材が配設される。下地材は、枠体の内部に配設され、縦桟に平行に配置される。
【特許文献１】特開平８−２３９９４７号公報
【発明の開示】
【発明が解決しようとする課題】
【０００４】
しかしながら、従来の下地材は、上に配置される横枠（上枠）の下面と下に配置される横枠（下枠）の上面に当接し、かつ前後両方の面材に当接するようにされていた。このため、上枠に形成された上下に貫通する配線用開口穴を通じて間仕切り壁パネルの内部に入線した電気線を下地材を横切って横方向に配線することができず、電気設備への電源供給を確実に行うことができないという問題があった。
【０００５】
本願発明は、このような事情に鑑みてなされたものであり、電気設備への電源供給を確実に行うことのできる間仕切り壁パネルを提供することを課題としている。
【課題を解決するための手段】
【０００６】
本願発明は、上記の課題を解決するために、第１には、一対の縦枠および横枠により組み立てられた矩形の枠体の内部に縦桟が設けられ、一方の横枠に縦枠方向に貫通する配線用開口穴が設けられ、枠体の前後に面材が配設された間仕切り壁パネルにおいて、補強用の下地材が枠体の内部に配設され、下地材は、縦片と縦片に垂設された垂片とを備えた断面略Ｔ字型の形状を有する部材であるか、または縦片と、縦片に垂設された垂片と、垂片を介して縦片に対して平行に配設され、縦片より幅の短い第２の縦片とを備えた断面略Ｈ字型の形状を有する部材であり、下地材は、縦片を一方の面材に当接させるとともに、断面略Ｔ字型形状の下地材の場合は垂片をもう一方の面材に当接させ、断面Ｈ字型形状の下地材の場合は第２の縦片をもう一方の面材に当接させて配置され、下地材において垂片は縦片に連続的にまたは断続的に設けられ、連続的に設けられた垂片には横枠方向に貫通する開口が形成されていることを特徴としている。
【０００７】
本願発明は、第２には、間仕切り壁パネルが建て込まれたときの上端部に相当する部分において、断面Ｔ字型の形状を有する下地材では垂片が欠如し、断面Ｈ字型の形状を有する下地材では垂片とともに第２の縦片が欠如し、欠如部が形成されていることを特徴としている。
【発明の効果】
【０００８】
本願の第１の発明によれば、下地材の垂片に配線用の開口が形成され、または垂片が間をおいて配設されているため、間仕切り壁パネルの上枠に形成された配線用開口穴を通じて間仕切り壁パネルの内部に配線を行う際に、下地材を挟んだ位置でも垂片の開口または垂片の間を通じて電気線を通すことができ、配線工事を行うことができる。また、下地材は、間仕切り壁パネルの前後両方に設けられた面材に当接するが、断面が略Ｔ字型形状であり、または縦片よりも幅の短い第２の縦片を備えた断面略Ｈ字型形状の部材であるため、垂片または第２の縦片が面材に当接する部分の面積が小さく抑えられ、面材に配設する電気設備の位置、面積等の制約が少ない。さらに、下地材が間仕切り壁パネルの両方の面材に当接しているため、下地材としての強度が保て、床面に平行方向の荷重がかかった場合でも、面材さらには間仕切り壁パネル全体の撓みを抑えることができる。
【０００９】
本願の第２の発明によれば、間仕切り壁パネルを建て込んだときの垂片または垂片および第２の縦片の上端部分が欠如しているため、上枠に形成された配線用開口穴と垂片の位置が重なっても、配線用開口穴が塞がれることがなく、電気線を間仕切り壁パネルの内部に入線することができる。
【発明を実施するための最良の形態】
【００１０】
図１は、本願発明の間仕切り壁パネルの一実施形態を示した一部切欠斜視図である。
【００１１】
間仕切り壁パネルは、左右一対の縦枠１、２および上下一対の横枠３、４により組み立てられた矩形の枠体５を備えている。枠体５の内部には、一本の縦桟６が縦枠１、２に平行に配置されて設けられている。縦桟６の本数は、間仕切り壁パネルに要求される強度に応じて適宜な本数を適宜なピッチで設けることができる。枠体５の前後に石膏ボード等の面材７、８が配設されている。
【００１２】
枠体５の内部において縦枠１と縦桟６の間には、補強用の下地材９が配設されている。下地材９は、図２＜ａ＞の平面図および図３＜ａ＞の斜視図に示したように、断面略Ｔ字型形状の部材となっている。縦片９１を有し、縦片９１に垂片９２が垂設されている。下地材９は、垂片９２が、枠体５において上に配置される横枠３、すなわち上枠に形成された配線用開口穴１０と重ならない位置に配置されている。また、下地材９では、縦片９１が前側の面材７に当接し、垂片９２が後側の面材８に当接している。縦片９１および垂片９２が当接する面材７、８は逆であってもよく、それぞれいずれか一方の面材に当接していればよい。このような下地材９は、たとえば合板の組合せにより形成することができる。この他、樹脂または金属により形成することもでき、さらに、木材、樹脂、金属の組合せによっても形成することができる。
【００１３】
図１および図３＜ａ＞に示した下地材９の垂片９２は連続する長尺物となっているが、一定ピッチで開口１１が形成されている。断面略Ｔ字型形状の部材である下地材９は、図３＜ｂ＞の斜視図に示したように、垂片９２を縦片９１に断続的に設けたものとすることもできる。この場合、断続的に存在する短尺の垂片９２の間に開口１１としての機能を持たせることができる。
【００１４】
このような間仕切り壁パネルでは、天井から配線用開口穴１０を通じて間仕切り壁パネルの内部に引き込まれる電気線は、下地材９の垂片９２に形成された開口１１または断続的に存在する垂片９２の間を通して横方向に配線することができる。従来の間仕切り壁パネルにおける配線についての問題が解消される。
【００１５】
また、下地材９は、断面略Ｔ字型形状の部材であるため、垂片９２が面材８に当接する部分の面積が小さく抑えられていて、面材８に配設する電気設備の位置、面積等の制約が少ない。しかも、下地材９は、前後両方の面材７、８に当接しているため、下地材９としての強度が保て、床面に平行方向の荷重がかかった場合でも、面材７、８さらには間仕切り壁パネル全体の撓みを抑えることができる。
【００１６】
図１に示した間仕切り壁パネルを作製する際には、図４に示したように、一対の縦枠１、２に一対の横枠３、４を連結し、枠体５を形成する。枠体５は横に寝かせたように配置され、内部に縦桟６を縦枠１、２に平行に配設し、枠体５の片側に面材７を取り付ける。この状態において、断面略Ｔ字型形状の下地材９を縦枠１と縦桟６の間に挿入する。このとき、垂片９２が下を向くようにして下地材９を配置する。垂片９２の横幅は縦片９１の幅よりも短いが、下地材９をそのような向きで配置しても自立可能な程度な幅に設定することができ、横に倒れることはない。一方、下地材９は横枠３、４に当接する長さのものとすることは必ずしも必要ではない。横枠３、４間の適宜な位置に固定することができる。横枠３、４に当接させれば、下地材９を横枠３、４に固定することができ、間仕切り壁パネルを起こして立てた場合に安定に起立するようになる。下地材９を枠体５の内部に挿入した後に、面材８を枠体５に取り付ける。
【００１７】
なお、補強用の下地材については、断面略Ｔ字型の形状を有する下地材９に限定されることはない。図２＜ｂ＞の平面図および図５＜ａ＞＜ｂ＞の斜視図に示したような断面略Ｈ字型の形状を有するものとすることもできる。断面略Ｈ字型形状の下地材１２は、縦片１２１と縦片１２１に垂設される垂片１２２とを備えるとともに、垂片１２２を介して縦片１２１に平行に配設された第２の縦片１２３を備えている。この下地材１２においては、第２の縦片１２３が縦片１２１の幅より短くなっている。縦片１２１を一方の面材７に当接させ、第２の縦片１２３を他方の面材８に当接させる。垂片１２２および第２の縦片１２３は、図５＜ａ＞に示したように長尺物とし、垂片１２２に横枠３、４方向に貫通する開口１１を形成する他、図５＜ｂ＞に示したように短尺物として断続的に存在するものとし、間に開口１１の機能を持たせることができる。このような下地材１２も、たとえば合板の組合せにより形成することができる。この他、樹脂または金属により形成することもでき、さらに、木材、樹脂、金属の組合せによっても形成することができる。
【００１８】
断面略Ｈ字型形状の下地材１２が配設された間仕切り壁パネルも、断面略Ｔ字型形状の下地材９が配設された間仕切り壁パネルと同様な効果を奏する。すなわち、天井から配線用開口穴１０を通じて間仕切り壁パネルの内部に引き込まれる電気線は、下地材１２の垂片１２２に形成された開口１１または断続的に存在する垂片１２２および第２の縦片１２３の間を通して横方向に配線することができる。従来の間仕切り壁パネルにおける配線についての問題が解消される。
【００１９】
また、下地材１２の第２の縦片１２３は、縦片１２１の幅より短くされていることから、図２＜ｂ＞に示したように、第２の縦片１２３が面材８に当接する部分の面積が小さく抑えられていて、面材８に配設する電気設備の位置、面積等の制約が少ない。しかも、下地材１２は、前後両方の面材７、８に当接しているため、下地材１２としての強度が保て、床面に平行方向の荷重がかかった場合でも、面材７、８さらには間仕切り壁パネル全体の撓みを抑えることができる。
【００２０】
なお、下地材９、１２は、断面が略Ｔ字型の部分と略Ｈ字型の部分が混在するものであってもよい。
【００２１】
また、図１および図２＜ａ＞＜ｂ＞に示した間仕切り壁パネルでは、下地材９、１２の垂片９２、１２２が、建て込んだときに上に配置される横枠３（上枠）に形成された配線用開口穴１０と重ならないように配置しているが、垂片９２、１２２は配線用開口穴１０と重なるように配置することもできる。この場合、垂片９２、１２２が配線用開口穴１０を塞いでしまうおそれがあるので、図６＜ａ＞＜ｂ＞に示したように、間仕切り壁パネルを建て込んだときに上端部に相当する部分に垂片９２、１２２および第２の縦片１２３を設けず、欠如部１３とすることができる。欠如部１３の形成は、垂片９２、１２２が長尺のものである場合は、その長さを縦片９１、１２１の長さより短いものを使用し、欠如部１３に相当する部分に縦片９１、１２１が配置されないようにし、垂片９２、１２２が短尺のものである場合は、欠如部１３が形成されるように該当箇所をよけて垂片９２、１２２を配設することにより可能となる。あるいは、長尺の縦片９１、１２１の場合、欠如部１３が形成されるように、該当箇所を切り欠くことも可能である。第２の縦片１２３はそのようにして配設される垂片１２２に設ければよい。欠如部１３は、垂片９２に設けられた開口１１、垂片９２の間または垂片１２２と第２の縦片１２３の間として機能することができ、配線用開口穴１０を通じた間仕切り壁パネル内部への電気線の配線を可能とする。たとえば図７に示したように、天井懐１４に配線された電気線１５を配線用開口穴１０を通して間仕切り壁パネルの内部に入線すると、配線用開口穴１０の直下に垂片９２は存在しないため、欠如部１３を通じて電気線１５を下地材９の横方向に送り込むことができ、面材８に設けられる電気コンセント等の電気設備１６に配線することができる。
【図面の簡単な説明】
【００２２】
【図１】本願発明の間仕切り壁パネルの一実施形態を示した一部切欠斜視図である。
【図２】＜ａ＞＜ｂ＞は、それぞれ、図１に示した間仕切り壁パネルの平面図、間仕切り壁パネルの別の実施形態の平面図である。
【図３】＜ａ＞＜ｂ＞は、それぞれ、図１に示した間仕切り壁パネルにおける下地材を示した斜視図、下地材の別の形態を示した斜視図である。
【図４】図１に示した間仕切り壁パネルの作製工程を示した分解斜視図である。
【図５】＜ａ＞＜ｂ＞は、それぞれ、下地材の別の形態を示した斜視図である。
【図６】＜ａ＞＜ｂ＞は、それぞれ、下地材の別の形態を示した斜視図である。
【図７】図６＜ａ＞に示した下地材が配設された間仕切り壁パネルにおける配線の様子を例示した正面図である。
【符号の説明】
【００２３】
１、２    縦枠
３、４    横枠
５    枠体
６    縦桟
７、８    面材
９    下地材
９１    縦片
９２    垂片
１０    配線用開口穴
１１    開口
１２    下地材
１２１    縦片
１２２    垂片
１２３    第２の縦片
１３    欠如部
１４    天井懐
１５    電気線
１６    電気設備
【図１】
2006299612.tif 000003
【図２】
2006299612.tif 000004
【図３】
2006299612.tif 000005
【図４】
2006299612.tif 000006
【図５】
2006299612.tif 000007
【図６】
2006299612.tif 000008
【図７】
2006299612.tif 000009